(57)【要約】【課題】アクセスポイントを設置する際に使用して好適な無線アクセスポイント電波強度サーベイ用装置を提供すること。【解決手段】アクセスポイントが装着され、かつ高さ調整が可能なサーベイ用アンテナ固定部材、前記サーベイ用アンテナ固定部材が装着され、また、給電ユニットが取り付けられる給電ユニット取付本体部材、前記給電ユニット取付本体部材が装着され、当該給電ユニット取付本体部を介して前記サーベイ用アンテナ固定部材を支持する脚部材、を有する。【選択図】図１
2015095822.tif 000002
【特許請求の範囲】
【請求項１】
アクセスポイントが装着され、かつ高さ調整が可能なサーベイ用アンテナ固定部材、前記サーベイ用アンテナ固定部材が装着され、また、給電ユニットが取り付けられる給電ユニット取付本体部材、前記給電ユニット取付本体部材が装着され、当該給電ユニット取付本体部を介して前記サーベイ用アンテナ固定部材を支持する脚部材、を有し、前記サーベイ用アンテナ固定部材と前記給電ユニット取付本体部材と前記脚部材は、着脱可能な組み立て式であり、前記サーベイ用アンテナ固定部材は、複数の着脱可能な中空のポールからなり、無線アクセスポイントの電波強度をサーベイする際に利用される、ことを特徴とする無線アクセスポイント電波強度サーベイ用装置。
【請求項２】
前記無線アクセスポイント電波強度サーベイ用装置は、
前記アクセスポイントが着脱自在に装着されるサーベイ用アンテナ固定部材当該サーベイ用アンテナが着脱自在に装着され、かつ給電ユニットが取り付けられる給電ユニット取付本体部材、当該給電ユニット取付本体部材が着脱自在に装着され、前記サーベイ用アンテナ固定部材を支持する脚部材を有し、
前記アクセスポイントの電波強度をサーベイする際に、前記給電ユニットと前記アクセスポイントが通信ケーブルにて接続されて使用される、ことを特徴とする請求項１に記載された無線アクセスポイント電波強度サーベイ用装置。
【請求項３】
前記サーベイ用アンテナ固定部材は、
１つ以上の中空の中間固定ポール、１つの中空のアクセスポイント本体取付用先端ポール、を有し、
前記１つ以上の中間固定ポールは、
一端部にジョイント固定用板バネを有し、他端部にジョイント固定用穴、を有し、
前記アクセスポイント本体取付用先端ポールは、
一端部に前記中間固定ポールの一端部に設けられたジョイント固定用穴に嵌合するジョイント固定板バネを有し、他端部にアクセスポイント本体の嵌合穴に嵌合するアクセスポイント固定用フックを有し、
前記給電ユニット取付本体部材は、
前記中間固定ポール、前記脚部材が着脱自在に装着される上下面部、及び給電ユニットが取り付けられる側面部、を有し、
前記上面部には、前記中間固定ポールの他端が着脱自在に装着され、当該中間固定ポールの一端部に設けられたジョイント固定用板バネが嵌合するジョイント固定用穴が形成されたジョイント用パイプ、を有し、
前記下面部には、前記脚部材のネジがねじ込まれるネジ穴、を有し、
前記側面部には、前記給電ユニットが取り付けられる、
ことを特徴とする請求項２に記載された無線アクセスポイント電波強度サーベイ用装置。
【請求項４】
前記給電ユニットは、ＰｏＥ機能を有するコンバータを含むイーサネット＜登録商標＞対応ＰｏＥ給電ユニットからなり、
前記通信ケーブルは、ＵＴＰ（Ｕｎｓｈｉｅｌｄｅｄ  Ｔｗｉｓｔ  ｐａｉｒ  ｃａｂｌｅ）からなり、
前記脚部材は、カメラ用三脚からなる、
ことを特徴とする請求項２、又は３に記載された無線アクセスポイント電波強度サーベイ用装置。
【発明の詳細な説明】
【技術分野】
【０００１】
本発明は無線アクセスポイント電波強度サーベイ用装置に関する。
更に詳しくは、ノートパソコンなどの無線ＬＡＮクライアント（無線端末）を、相互に接続したり、他のネットワーク（優先ＬＡＮなど）に接続する無線機の一種である無線ＬＡＮアクセスポイント（ＡＰ）を所望の位置に設置する場合、アクセスポイント（ＡＰ）の設置箇所や数量などを決定する際に使用して好適な無線アクセスポイント電波強度サーベイ用装置に関する。
【背景技術】
【０００２】
本技術分野の背景技術として、特開２００６−１９１４７０号公報（特許文献１）がある。この公報には、「第１の無線端末から送信された送信信号から第１の無線端末の位置情報を取得する位置情報取得部（３１２）と、第１の無線端末の位置情報が改ざんされた情報か否かを判断する判断部（３１３）とを備え、判断部（３１３）は、第１の無線端末の位置情報が改ざんされた情報であると判断したとき、送信信号を受信する第１のアクセスポイントの位置に基づく第１の情報を、第１の無線端末の位置情報とする位置取得システム」をもって、「無線ＬＡＮ端末からＩＰ電話網を介して警察・消防などの緊急通報を行う場合において、無線ＬＡＮ端末の発信位置を特定する」ことが開示されている（要約参照）。
【先行技術文献】
【特許文献】
【０００３】
【特許文献１】特開２００６−１９１４７０号公報
【発明の開示】
【発明が解決しようとする課題】
【０００４】
前記特許文献１には、アクセスポイントの発信位置を特定する位置取得システムの仕組みが記載されている。しかし、アクセスポイントの電波強度をパーソナルコンピュータ（以下、ＰＣと称する）などで測定し、アクセスポイントの設置箇所や数量などを決定する際に使用される冶具、つまり無線アクセスポイント電波強度を事前にサーベイする際に使用されるサーベイ用装置までは何ら開示されていない。
【０００５】
建屋の壁や天井などに無線ＬＡＮのアクセスポイント（ＡＰ）を設置する場合、アクセスポイント（ＡＰ）の設置個所や数量などを決定する必要がある。この際にアクセスポイントの電波強度をサーベイ（Ｓｕｒｖｅｙ：調査、測量、実施踏査）した上、アクセスポイントの設置位置や数量などを確認する必要がある。
【０００６】
そのために、一般的には、アクセスポイントを所望の位置に仮設置する。また、アクセスポイントからの電波強度を、複数の箇所でＰＣなどを用いてサーベイする。
このサーベイ作業に際しては、従来、最低、アクセスポイントを設置しようとする位置で持つ作業者と、ＰＣを持って移動しながら、アクセスポイントの電波強度を測定する作業者の２名が必要であった。
【０００７】
アクセスポイントを設置する手段として、特に決められた手段があるわけではないが、アクセスポイント側をどのような状況（場所）で測定するかで、状況が変わってくる。また、大半が高い場所、例えば建屋の高い位置や天井などにアクセスポイントを設置するため、アクセスポイントを持つ側の作業者は、アクセスポイントの電波強度を測定する作業者がアクセスポイントの電波強度を測定中、はしごや脚立などに上がってアクセスポイントを設置個所に持ち上げて待機するなどの作業が必要である。
【０００８】
従って、アクセスポイントを持つ側の作業者は、はしごや脚立などの道具を持ち歩く必要があり、また、その上り下りの行為も必要となり、作業効率が悪い、のみならず高所作業となることから危険が伴う課題があった。
【０００９】
本発明の目的は、アクセスポイントを設置する際に使用して好適な無線アクセスポイント電波強度サーベイ用装置を提供することにある。
【００１０】
また、本発明の他の目的は、アプリケーション側に作業者を配備する必要がなく、電波強度を測定する側の作業者一人でアクセスポイント設置作業を行うことが可能な無線アクセスポイント電波強度サーベイ用装置を提供することにある。
【００１１】
また、本発明の他の目的は、高所での作業が不要、つまり安全であり、かつアクセスポイントの高さ調整が容易な無線アクセスポイント電波強度サーベイ用装置を提供する。
【課題を解決するための手段】
【００１２】
上記課題を解決するために、本発明の無線アクセスポイント電波強度サーベイ用装置は、アクセスポイントが装着され、かつ高さ調整が可能なサーベイ用アンテナ固定部材、前記サーベイ用アンテナ固定部材が装着され、また、給電ユニットが取り付けられる給電ユニット取付本体部材、前記給電ユニット取付本体部材が装着され、当該給電ユニット取付本体部を介して前記サーベイ用アンテナ固定部材を支持する脚部材、を有し、前記サーベイ用アンテナ固定部材と前記給電ユニット取付本体部材と前記脚部材は、着脱可能な組み立て式であり、前記サーベイ用アンテナ固定部材は、複数の着脱可能な中空のポールからなり、無線アクセスポイントの電波強度をサーベイする際に利用される、ことを特徴とする。
【００１３】
また、本発明の無線アクセスポイント電波強度サーベイ用装置は、
アクセスポイントが着脱自在に装着されるサーベイ用アンテナ固定部材、当該サーベイ用アンテナが着脱自在に装着され、かつ給電ユニット（例えば、ＰｏＥ給電ユニット）が取り付けられる給電ユニット取付本体部材１２０、当該給電ユニット取付本体部材が着脱自在に装着され、前記サーベイ用アンテナ固定部材を支持する脚部材を有し、
前記アクセスポイントの電波強度をサーベイする際に、前記給電ユニットと前記アクセスポイントが通信ケーブル（例えば、ＵＴＰ：Ｕｎｓｈｉｅｌｄｅｄ  Ｔｗｉｓｔ  ｐａｉｒ  ｃａｂｌｅ）にて接続されて使用される、ことを特徴とする。
【００１４】
本発明の前記サーベイ用アンテナ固定部材は、
１つ以上の中空の中間固定ポール、１つの中空のアクセスポイント本体取付用先端ポール、を有し、
前記１つ以上の中間固定ポールは、
一端部にジョイント固定用板バネを有し、他端部にジョイント固定用穴、を有し、
前記アクセスポイント本体取付用先端ポールは、
一端部に前記中間固定ポールの一端部に設けられたジョイント固定用穴に嵌合するジョイント固定板バネを有し、他端部にアクセスポイント本体の嵌合穴に嵌合するアクセスポイント固定用フックを有し、
前記給電ユニット取付本体部材は、
前記中間固定ポール、前記脚部材が着脱自在に装着される上下面部、及び給電ユニットが取り付けられる側面部、を有し、
前記上面部には、前記中間固定ポールの他端が着脱自在に装着され、当該中間固定ポールの一端部に設けられたジョイント固定用板バネが嵌合するジョイント固定用穴が形成されたジョイント用パイプ、を有し、
前記下面部には、前記脚部材のネジがねじ込まれるネジ穴、を有し、
前記側面部には、前記給電ユニットが取り付けられる、
ことを特徴とする。
【００１５】
本発明の前記給電ユニットは、ＰｏＥ機能を有するコンバータを含むイーサネット＜登録商標＞対応ＰｏＥ給電ユニットからなり、
前記通信ケーブルは、ＵＴＰ（Ｕｎｓｈｉｅｌｄｅｄ  Ｔｗｉｓｔ  ｐａｉｒ  ｃａｂｌｅ）からなり、
前記脚部材は、カメラ用三脚からなる
ことを特徴とする。
【発明の効果】
【００１６】
本発明によれば、アクセスポイントを設置する際に使用して好適な無線アクセスポイント電波強度サーベイ用装置を提供することができる。
【００１７】
また、アプリケーション側に作業者を配備する必要がなく、電波強度を測定する側の作業者一人でアクセスポイント設置作業を行うことが可能な無線アクセスポイント電波強度サーベイ用装置を提供することにある。
【００１８】
また、高所での作業が不要、つまり安全であり、かつアクセスポイントの高さ調整が容易な無線アクセスポイント電波強度サーベイ用装置を提供する。
【００１９】
上記した以外の課題、構成及び効果は、以下の実施形態の説明により明らかにされる。
【図面の簡単な説明】
【００２０】
【図１】図１は、本発明の無線アクセスポイント電波強度サーベイ用装置の全体構成を示す概観図である。
【図２】図２は、図１の拡大正面図である。
【図３】図３は、給電ユニット取付部材１２０の一構成例を示す斜視図である。
【図４】図４は、給電ユニット取付部材１２０と脚部材のカメラ用三脚１３０との組み立て前の構成を示す斜視図である。
【図５】図５は、サーベイ用アンテナ固定部材１１０の中間固定ポール１１０１、アクセスポイント本体取付用先端ポール１１０２の一構成例を示す図である。
【図６】図６は、中間固定ポール１１０１同士の接続方法を説明する図である。
【図７】図７は、サーベイ用アンテナ固定部材１１０の中間固定ポール１１０１、アクセスポイント本体取付用先端ポール１１０２の側面図である。
【図８】図８は、中間固定ポール１１０１、アクセスポイント本体取付用先端ポール１１０２の正面図である。
【図９】図９は、アクセスポイント本体取付用先端ポール１１０２の裏面図である。
【図１０】図１０は、アクセスポイント本体取付用先端ポール１１０２とアクセスポイント２０と取付方法を説明する図、及びアクセスポイント２０をアクセスポイント本体取付用先端ポール１１０２に取り付けたときの図である。
【図１１】図１１は、フック取付構造の一例を示す図である。
【図１２】図１２は、給電ユニット取付部材１２０のＰｏＥ給電ユニット取付部本体１２０１の上面図である
【図１３】図１３は、ＰｏＥ給電ユニット取付部本体１２０１の側面図である。
【図１４】図１４は、ＰｏＥ給電ユニット取付部本体１２０１の裏面図及び三脚１３０の固定具１３０１との取り付け様子を示す図である。
【図１５】図１５は、ＰｏＥ給電ユニット取付部本体１２０１と三脚１３０の固定具１３０１との取り付け様子を示す図である
【図１６】図１６は、ＰｏＥ給電ユニット３０を使用する場合の一例を示す図である。
【図１７】図１７は、アクセスポイントの電波強度をＰＣで測定する様子を説明するための図である。
【発明を実施するための形態】
【００２１】
以下、実施例を、図面を用いて説明する。本実施例では、無線アクセスポイントの電波強度をＰＣで測定する例について説明する。
【実施例】
【００２２】
図１、図２は無線アクセスポイントの電波強度を事前に測定する無線アクセスポイント電波強度サーベイ用装置１０の構成を示す図であって、図１はその外観図、図２はその正面拡大図である。
【００２３】
同図において、無線アクセスポイント電波強度サーベイ用装置１０は、無線アクセスポイント（ＩＥＥＥ８０２．１１ｎ／ａ／ｂ／ｇ準拠品）２０の電波強度を事前にサーベイする際に使用される。そして、サーベイ用アンテナ固定部材１１０、サーベイ用アンテナ固定部材を取り付けるための取付部材１２０、及び脚部材（三脚）１３０、を有し、図示の如く、組み立てた状態で使用される。
以下、その詳細について説明する。
【００２４】
無線アクセスポイント電波強度サーベイ用装置１０は、サーベイ用アンテナ固定部材（サーベイ用アンテナ固定ポール）１１０、給電ユニット取付部材１２０（ＰｏＥ給電ユニット取付部本体１２０１）、脚部材１３０、を有する。
【００２５】
サーベイ用アンテナ固定部材１１０の最上部には、アクセスポイント本体２０が着脱自在に装着される。
【００２６】
サーベイ用アンテナ固定部材１１０と、給電ユニット取付部材１２０と、脚部材１３０とは、それぞれ着脱可能に構成する。また、サーベイ用アンテナ固定部材１１０は、高さ方向に延長可能とするため、複数の固定部材にて構成する。
すなわち、サーベイ用アンテナ固定部材１１０は、給電ユニット取付部材１２０に対して着脱自在に装着されるジョイント構成とし、給電ユニット取付部材１２０は、脚部材１３０に対して着脱自在に装着されるジョイント構成とする。
【００２７】
例えば、サーベイ用アンテナ固定部材１１０は、アルミ製の中空のジョイント用パイプからなる。そして、１つ以上の中間固定ポール１１０１（本例では、３本を示す）と、１つのアクセスポイント本体取付用先端ポール１１０２、を有する。各ポールの長さは、例えば、１０００ｍｍとする。
【００２８】
中間固定ポール１１０１の両端部には、後述するジョイント部を有する。例えば、一端部には、ジョイント固定用板バネ１１０１１を有し、他端部には、ジョイント固定用穴１１０１２、を有する。
【００２９】
アクセスポイント本体取付用先端ポール１１０２の両端部にも、中間固定ポール１１０１と同様に後述するジョイント部を有する。例えば、一端部には、ジョイント固定用板バネ１１０２１を有し、他端部には、２つのアクセスポイント固定用フック１１０２２、を有する。
【００３０】
これらのポールは、ジョイント固定用板バネ１１０２１とジョイント固定用穴１１０１２の嵌合にて連結、つまり取り付けることができる。
これにより、高さ方向の長さを長く（延長）したり、短くしたりすることができる。また、それらの連結を解除、つまり取り外しができる。これにより、持ち歩き（携帯）が容易にできる。各ポールの携帯には、例えば、収納袋を用意するとよい。
【００３１】
また、中間固定ポール１１０１の最下位部分は、給電ユニット取付部材（ＰｏＥ給電ユニット取付部材）１２０の本体１２０１の上部に形成された中空の突出部（凸部）、つまりジョイント用パイプ１２０１４に着脱自在に取り付けられる。
【００３２】
アクセスポイント本体取付用先端ポール１１０２は、ジョイント部（ジョイント固定用板バネ１１０２１）を介して中間固定ポール１１０１のジョイント部（ジョイント固定用穴１１０１２）に着脱自在に取り付けられる。
【００３３】
アクセスポイント本体取付用先端ポール１１０２の最上位部分には、アクセスポイント本体２０がジョイント部（アクセスポイント固定用フック１１０２２）を介して着脱自在に取り付けされる。
【００３４】
アクセスポイント本体２０は、裏面に形成された２つのフック用穴２１０１（図１０参照）、電波を発するアンテナ２１０２、を有する。
アクセスポイント本体２０及びアクセスポイント固定用フックの構成については後述する。
【００３５】
アクセスポイント本体取付用先端ポール１１０２の最先端の中空部には、ゴムキャップ１１０２３が取り付けられる。
【００３６】
中間固定ポール１１０１、アクセスポイント本体取付用先端ポール１１０２、の各ジョイント部の構成は後述する。
【００３７】
給電ユニット取付部材１２０は、例えば、円柱状の給電ユニット取付部本体１２０１を有する。
【００３８】
給電ユニット取付部本体１２０１は、脚部材（カメラ用三脚）１３０の固定部、つまり雲台１３０１に着脱自在に取り付けられる下端面１２０１３、給電ユニット取付部本体１２０１の側部の一部を切り欠くようにして形成した平坦面１２０１２、中間固定ポール１１０１が取り付けられるジョイント用パイプ１２０１４を形成した上端面１２０１１、を有する。
【００３９】
平坦部１２０１２には、給電ユニット、例えばＩＥＥＥ８０２．３ａｆ準拠品のＰｏＥ（Power over Ethernet＜登録商標＞）給電ユニット３０が取り付けられる。
ＰｏＥ給電ユニット３０は、アクリルカバー１２０４（図１２、図１４参照）により保護される構成となっている。アクリルカバー１２０４の詳細構成は後述する。
【００４０】
なお、本実施例では、取付部本体１２０１の平坦部１２０１２にＰｏＥ給電ユニット３０を取り付けているが、ＰｏＥ給電ユニット３０は、必ずしも本体１２０１に取り付ける必要はなく、別途個別に用意してもよい。
【００４１】
脚部材１３０は、例えば、給電ユニット取付部材１２０を着脱可能に固定する固定具１３０１、当該固定具を支える三脚部１３０２、を有する。脚部材１３０としては、例えば、高さ方向の調整が可能な既存のカメラ用三脚を使用するとよい。
【００４２】
アクセスポイント設置後の高さ（長さ）は、例えば、最大４２００ｍｍ（１０００ｍｍ／ポール、２００ｍｍ／本体）＋三脚の調整部分とし、測定する場所の高さに応じて三脚で微調整を行う。
【００４３】
給電ユニット（ＰｏＥ給電ユニット）３０は、その上部に通信ケーブル（ＵＴＰケーブル）４１０、４２０が装着されるジャック３１０（３１０１）、３１０（３１０２）を有し、下部に電源コード４３０が接続されるＡＣアダプタ接続部３２０を有する。これらの構成も後述する。
【００４４】
図３は給電ユニット取付部材１２０の一構成例を示す斜視図であり、図４は給電ユニット取付部材１２０の本体１２０１と脚部材のカメラ用三脚１３０との組み立て前の構成を示す斜視図である。
【００４５】
図３、図４において、給電ユニット取付部材１２０の給電ユニット取付部本体１２０１の下端面１２０１３には、三脚１３０の固定具１３０１のネジ１３０１１が嵌合されるネジ穴１２０１３１（図４参照）を形成してある。
【００４６】
給電ユニット取付部本体１２０１の上端面１２０１１には、サーベイ用アンテナ固定部材１１０の中間固定ポール１１０１がジョイントされるジョイント用パイプ１２０１４が設けられている。ジョイント用パイプ１２０１４には、中間固定用パイプ１１０１の板バネ１１０１１が篏合されるジョイント固定用穴１２０１４１が形成されている。
【００４７】
図５はサーベイ用アンテナ固定部材１１０の中間固定ポール１１０１、アクセスポイント本体取付用先端ポール１１０２の一構成例を示す図である。
【００４８】
同図において、中間固定ポール１１０１は、その一端部がＰｏＥ給電ユニット取付部材１２０の本体１２０１のジョイント用パイプ１２０１４の中空に挿入できるように多少径が小さく形成されている。
そして、その一部には、ジョイント固定用板バネ１１０１１が取り付けされている。他端部には、ジョイント固定用板バネが嵌合されるジョイント固定用穴１１０１２が形成されている。
【００４９】
アクセスポイント本体取付用先端ポール１１０２は、その一端部には、中間固定ポール１１０１の中空に挿入できるように多少径が小さく形成されている。
そして、その一部には、中間固定ポール１１０２のジョイント固定用穴１１０１２に嵌合するジョイント固定用板バネ１１０２１が取り付けてある。他端部には、２つのアクセスポイント固定用フック１１０２２が取り付けられている。
また、その先端部には、ゴムキャップ１１０２３が取り付けられている。
【００５０】
図６は中間固定用ポール１１０１同士の取り付け、取り外し方法を説明する図である。
【００５１】
図において、中間固定ポール１１０１同士の取り付けは、図示の如く、例えば、中間固定ポール１１０１の一端部の中空に他方のポール１１０１の一端部を、当該一端部に形成したジョイント固定用板バネ１１０１２を押し込みながらスライドさせて挿入（差込み）し、中間固定ポール１１０１の穴１１０１１にバネ１１０１２を嵌合してジョイントする。取り外す場合には、板バネ１１０１２を押しながらポールをスライドさせて取り外す。
なお、中間固定ポール１１０１とアクセスポイント本体取付用先端ポール１１０２との取り付け、取り外しも同様にして行う。
【００５２】
図７は複数の中間固定用ポール１１０１と１つのアクセスポイント本体取付用先端ポール１１０２の側面図、図８は１つの中間固定用ポール１１０１と１つのアクセスポイント本体取付用先端ポール１１０２の正面図、図９はアクセスポイント本体取付用先端ポール１１０２の裏面図である。
【００５３】
同図において、中間固定用ポール１１０１には、上述した如く、ジョイント固定用板バネ１１０１１、ジョイント固定用穴１１０１２、を有し、アクセスポイント本体取付用先端ポール１１０２には、ジョイント固定用板バネ１１０２１、アクセスポイント固定用フック（ビス×２）１１０２２、及びビスの上下方向の位置を調整するための固定用ちょうネジ１１０２４、当該ネジが装着される長穴１１０２５、を有する。
【００５４】
図１０はアクセスポイント本体取付用先端ポール１１０２とアクセスポイント本体２０と取付方法を説明する図、またアクセスポイント本体２０をアクセスポイント本体取付用先端ポール１１０２に取り付けたときの図である。
【００５５】
同図において、アクセスポイント本体２０の筐体２１０裏面に形成した上下２つのフック穴２１０１にアクセスポイント本体取付用先端ポール１１０２の引掛け部であるビス、つまり２つのアプリケーション固定用フック１１０２２を引っ掛けるようにして取り付ける。
【００５６】
図１１はフック取付構造の一例を示す図であって、アクセスポイント本体２０をアクセスポイント本体取付用先端ポール１１０２に取り付け際に、アクセスポイント本体２０の上下方向の取付位置を調整可能とする様子を示す図である。
【００５７】
同図において、アクセスポイント本体取付用先端ポール１１０２に、上下方向の長穴１１０２５を形成し、当該長穴にアクセスポイント固定用フック１１０２２の下側のフックを挿入し、当該フックを上下方向に移動可能な構成とする。フックの位置が決めた後は、フックの先端部に取り付けた、例えば、ちょうネジ１１０２４をもって固定する。
【００５８】
図１２は給電ユニット取付部材１２０のＰｏＥ給電ユニット取付部本体１２０１の上面図、図１３はその側面部、図１４はその裏面図及び三脚１３０の固定具１３０１との取り付け様子を示す図、図１５はＰｏＥ給電ユニット取付部本体１２０１と三脚１３０の固定具１３０１との取り付け様子を示す図である。
【００５９】
図１２において、ＰｏＥ給電ユニット取付部本体１２０１の上面中心部には、ジョイント用パイプ１２０１４に中間固定ポール１１０１が挿入される。そして、ジョイント用パイプ１２０１４に形成されたジョイント固定用穴１２０１４１と中間固定パイプ１１０１に取り付けされたジョイント固定用板バネ１１０１１とが嵌合して固定される。
【００６０】
平坦面１２０１２に取り付けられたイーサネット＜登録商標＞対応ＰｏＥ給電ユニット３０の上部には、２つのジャック、例えば、ＲＪ４５ジャック３１０１、３１０２が取り付けられている。
【００６１】
その１つのＲＪ４５ジャック３１０１には、アクセスポイント本体２０に接続される通信ケーブル、例えば、ＵＴＰケーブル４１０が接続され、他の１つのＲＪ４５ジャック３１０には、上位ネットワークに接続される通信ケーブル、例えば、ＵＴＰケーブル４２０が接続される。ＵＴＰケーブル４１０、４２０は、両端ＲＪ−４５モジュラープラグ付を使用する。
【００６２】
ＰｏＥ給電ユニット取付部本体１２０１には、当該本体の平坦面１２０１２を覆うようにしてＰｏＥ給電ユニットをカバーするアクリルカバー１２０４が開閉自在に取り付けられている。
【００６３】
カバー１２０４は、透明部材からなり、その内側上下には、ケーブル保護用スポンジ１２０５が取り付けられている。
このアクリルカバー１２０４により、後述するケーブル４１０、４２０、ジャック３１０、ＡＣアダプタ接続部３２０を含むＰｏＥ給電ユニット３０を保護するとともに、その状態を外部より容易に確認することができる。
なお、本体１２０１と平坦面１２０１２の最外周面との距離は４０ｍｍとする。
【００６４】
図１３において、ＰｏＥ給電ユニット取付部本体１２０１の上面側に取り付けられているジョイント用パイプ１２０１４には、上述したジョイント固定用穴１２０１４１が形成してある。また、下面側中心部には、三脚１３０の固定具１３０１のネジ１３０１１がねじ込まれるネジ穴１２０１３１が形成してある。
因みに、ＰｏＥ給電ユニット取付部本体１２０１の大きさは、例えば、横１２０ｍｍ、縦２００ｍｍとする。
【００６５】
図１４において、イーサネット＜登録商標＞対応ＰｏＥ給電ユニット３０の下端部には、ＡＣアダプタ接続部３２０が取り付けられている。
ＰｏＥ給電ユニット取付部本体１２０１の下面中央部には、三脚１３０の三脚固定用ネジ１３０１１（図５参照）と嵌合するネジ穴１２０１１が形成してある。そして、図１５に示す如く、ＰｏＥ給電ユニット取付部本体１２０１のネジ穴１２０１１と固定具１３０１のネジ１３０１１との篏合をもって両者を固定する。
【００６６】
図１６はＰｏＥ給電ユニット３０を使用する場合の一例を示す図である。
すなわち、本体１２０１のアクリルカバー１２０４を開放し、平坦面（ベース面）１２０１２にＰｏＥ給電ユニット３０をビスで固定する。そして、ＵＴＰケーブル４１０、４２０を、ＲＪ４５ジャック３１０１、３１０２を介してＰｏＥ給電ユニット３０に接続する。ケーブルの長さは測定する高さ分を準備する。
【００６７】
図１７はアクセスポイント２０を、無線アクセスポイント電波強度サーベイ用装置を使用して所定位置に設置した後、アクセスポイントの電波強度をＰＣ５０で測定する様子を説明するための図である
【００６８】
同図において、最寄りのアプリケーション設置予定場所に無線アクセスポイント電波強度サーベイ用装置をセットし、ＰＣ５０で電波状況の測定を行う。
アクセスポイントを設置したら一人で測定が簡単にできる。また、高い場所も脚立等を準備する必要がない。
無線アクセスポイント電波強度サーベイ用装置の位置を変更する場合は、高さに変更がなければ組み立てたまま移動すればよい。測定後は、無線アクセスポイント電波強度サーベイ用装置を解体することにより、持ち歩きが容易となる。
【００６９】
上述した実施例によれば、サーベイ用アンテナ固定部材（サーベイ用アンテナ固定ポール）１１０、給電ユニット取付部材１２０（ＰｏＥ給電ユニット取付部本体１２０１）、及び脚部材（三脚）１３０、を着脱自在に組み立て可能な構成としていることから、持ち運びが容易で、組み立てが容易な無線アクセスポイント事前サーベイ用装置が得られる。具体的には、アクセスポイント本体２０の重量を３５０ｇ〜５００ｇ程度の重さで構成しても安定感を保つことが検証できた。これにより、軽量、かつ安価な無線アクセスポイント事前サーベイ用冶具を得ることができた。
また、サーベイ用アンテナ固定部材（サーベイ用アンテナ固定ポール）１１０、給電ユニット取付部材１２０（ＰｏＥ給電ユニット取付部本体１２０１）、をアルミ製とすることにより、軽量化できる。また、給電ユニット（ＰｏＥ給電ユニット）３０、通信ケーブル（ＵＴＰケーブル）４１０、４２０、電源コード４３０、を装備することにより、アクセスポイントサーベイが容易に行うことができる。
【００７０】
なお、本発明は上記した実施例限定されるものではなく、様々な変形例が含まれる。例えば、上記した実施例は本発明を分かりやすく説明するために詳細に説明したものであり、必ずしも説明した全ての構成を備えるものに限定されるものではない。
また、ある実施例の構成の一部を他の実施例の構成に置き換えることが可能であり、また、ある実施例の構成に他の実施例の構成を加えることも可能である。
【符号の説明】
【００７１】
１０  無線アクセスポイント電波強度サーベイ用装置
１１０  サーベイ用アンテナ固定部材
１１０１  中間固定ポール
１１０２  アクセスポイント本体取付用先端ポール
１２０  給電ユニット取付本体部材
１２０１  ＰｏＥ給電ユニット取付部本体
１２０４  アクリルカバー
１２０５  ケーブル保護用スポンジ
１３０  脚部材のカメラ用三脚
２０  アクセスポイント本体
２１０  アクセスポイント本体筐体
３０  イーサネット＜登録商標＞対応ＰｏＥ給電ユニット
３１０  ＲＪ４５ジャック
３２０  ＡＣアダプタ接続部
４１０  ４２０  ＵＴＰケーブル
【図１】
2015095822.tif 000003
【図２】
2015095822.tif 000004
【図３】
2015095822.tif 000005
【図４】
2015095822.tif 000006
【図５】
2015095822.tif 000007
【図６】
2015095822.tif 000008
【図７】
2015095822.tif 000009
【図８】
2015095822.tif 000010
【図９】
2015095822.tif 000011
【図１０】
2015095822.tif 000012
【図１１】
2015095822.tif 000013
【図１２】
2015095822.tif 000014
【図１３】
2015095822.tif 000015
【図１４】
2015095822.tif 000016
【図１５】
2015095822.tif 000017
【図１６】
2015095822.tif 000018
【図１７】
2015095822.tif 000019